(57)【要約】【課題】時差等が変化する状況下にあっても、利用者にとって使い易く且つ、精度の高い時刻修正が可能な時刻修正装置等を提供すること。【解決手段】受信部２４が時系列に取得した複数の地域時刻補正情報５６ａと、修正時刻情報５５ａは、基本時刻情報及び地域時刻補正情報に基づいて生成され、修正時刻情報を生成するときに参照する地域時刻補正情報を選択するための地域時刻補正情報選択情報４５ａを有し、修正時刻情報生成部は、地域時刻補正情報選択情報に基づき選択された一の地域時刻補正情報に基づき修正時刻情報を生成し、時刻情報修正部は、一の地域時刻補正情報に基づき生成された修正時刻情報に基づき時刻表示部１３の表示時刻情報２５を修正する構成となっている時刻修正装置１０。【選択図】図８
2008051527.tif 000002
【特許請求の範囲】
【請求項１】
基地局からの信号を受信する受信部と、
前記受信部が通信を行うための電力を供給する電源部と、
時刻表示部の表示時刻情報を修正する時刻情報修正部と、
前記時刻表示部が前記表示時刻情報を修正するための修正時刻情報を格納する修正時刻情報格納部と、
前記修正時刻情報を生成するための修正時刻情報生成部と、を有する時刻修正装置であって、
前記受信部が受信した前記信号は、少なくとも、前記基地局の所在によって変化しない基本時刻情報と、
この基本時刻情報を当該基地局が所在する地域の地域時刻情報に補正するために地域時刻補正情報と、を含み、
前記受信部が前記地域時刻補正情報を時系列に取得した複数の前記地域時刻補正情報を格納する地域時刻補正情報格納部を有し、
前記修正時刻情報は、少なくとも、前記基本時刻情報及び前記地域時刻補正情報に基づいて生成され、
前記修正時刻情報生成部が前記修正時刻情報を生成するときに参照する前記地域時刻補正情報を選択するための地域時刻補正情報選択情報を格納する地域時刻補正情報選択情報格納部を有し、
前記修正時刻情報生成部は、少なくとも、前記地域時刻補正情報選択情報に基づき選択された一の前記地域時刻補正情報に基づき前記修正時刻情報を生成し、
前記時刻情報修正部は、前記一の前記地域時刻補正情報に基づき生成された前記修正時刻情報に基づき前記時刻表示部の前記表示時刻情報を修正する構成となっていることを特徴とする時刻修正装置。
【請求項２】
利用者に対して情報を表示する表示部と、
前記表示部を制御する表示制御部と、
前記時刻情報修正部は、前記複数の地域時刻補正情報のそれぞれに基づいて複数の前記修正時刻情報を生成し、
前記表示制御部が前記複数の前記修正時刻情報を、前記表示部に表示する構成となっており、
前記表示部に表示された前記複数の前記修正時刻情報を利用者が選択するための表示選択部を有することを特徴とする請求項１に記載の時刻修正装置。
【請求項３】
前記地域時刻補正情報選択情報が、前記表示選択部が選択する前記修正時刻情報に基づき変化する構成となっていることを特徴とする請求項２に記載の時刻修正装置。
【請求項４】
前記受信部が受信した前記信号には、前記受信部が受信する時刻である受信時刻情報から所定時間経過後の未来時刻情報が含まれ、
前記未来時刻情報と前記受信時刻情報との差分時間情報を格納する差分時間情報格納部と、
少なくとも、前記受信部が受信した前記未来時刻情報と前記差分時間情報に基づいて前記受信部の受信時刻情報を生成する受信時刻情報生成部と、を有し、
前記修正時刻情報生成部は、前記受信時刻情報生成部で生成された前記受信時刻情報と、少なくとも、時刻修正装置の処理時間情報に基づき、前記修正時刻情報を生成する構成となっていることを特徴とする請求項１乃至請求項３のいずれかに記載の時刻修正装置。
【請求項５】
前記受信部が受信する前記信号は、少なくとも、ＧＰＳ衛星のＧＰＳ時刻情報、前記基地局から発信される信号の基地局誤差時間情報、前記基本時刻情報である前記ＧＰＳ時刻情報を世界協定時（ＵＴＣ）に換算するＵＴＣ換算情報及び前記地域時刻補正情報である地域時間に換算する地域時間換算情報を有し、
前記受信時刻情報生成部は、少なくとも、前記ＧＰＳ時刻情報、前記ＵＴＣ換算情報、前記地域時間換算情報、前記基地局誤差時間情報及び前記差分情報に基づいて前記受信時刻情報を生成する構成となっていることを特徴とする請求項４に記載の時刻修正装置。
【請求項６】
前記受信部が受信する前記信号には、季節時間に換算する季節時間情報が含まれることを特徴とする請求項５に記載の時刻修正装置。
【請求項７】
前記基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする請求項１乃至請求項５のいずれかに記載の時刻修正装置。
【請求項８】
基地局からの信号を受信する受信部と、
前記受信部が通信を行うための電力を供給する電源部と、
表示時刻情報を表示する時刻表示部と、
前記時刻表示部の表示時刻情報を修正する時刻情報修正部と、
前記時刻表示部が前記表示時刻情報を修正するための修正時刻情報を格納する修正時刻情報格納部と、
前記修正時刻情報を生成するための修正時刻情報生成部と、を有する時刻修正装置付き計時装置であって、
前記受信部が受信した前記信号は、少なくとも、前記基地局の所在によって変化しない基本時刻情報と、
この基本時刻情報を当該基地局が所在する地域の地域時刻情報に補正するために地域時刻補正情報と、を含み、
前記受信部が前記地域時刻補正情報を時系列に取得した複数の前記地域時刻補正情報を格納する地域時刻補正情報格納部を有し、
前記修正時刻情報は、少なくとも、前記基本時刻情報及び前記地域時刻補正情報に基づいて生成され、
前記修正時刻情報生成部が前記修正時刻情報を生成するときに参照する前記地域時刻補正情報を選択するための地域時刻補正情報選択情報を格納する地域時刻補正情報選択情報格納部を有し、
前記修正時刻情報生成部は、少なくとも、前記地域時刻補正情報選択情報に基づき選択された一の前記地域時刻補正情報に基づき前記修正時刻情報を生成し、
前記時刻情報修正部は、前記一の前記地域時刻補正情報に基づき生成された前記修正時刻情報に基づき前記時刻表示部の前記表示時刻情報を修正する構成となっていることを特徴とする時刻修正装置付き計時装置。
【請求項９】
基地局からの信号を受信する受信部と、
前記受信部が通信を行うための電力を供給する電源部と、
時刻表示部の表示時刻情報を修正する時刻情報修正部と、
前記時刻表示部が前記表示時刻情報を修正するための修正時刻情報を格納する修正時刻情報格納部と、
前記修正時刻情報を生成するための修正時刻情報生成部と、を有する時刻修正方法であって、
前記受信部が受信した前記信号は、少なくとも、前記基地局の所在によって変化しない基本時刻情報と、
この基本時刻情報を当該基地局が所在する地域の地域時刻情報に補正するために地域時刻補正情報と、を含み、
前記受信部が前記地域時刻補正情報を時系列に複数取得し、地域時刻補正情報格納部に格納する地域時刻補正情報取得工程と、
前記修正時刻情報生成部が、少なくとも、前記基本時刻情報及び前記地域時刻補正情報に基づいて前記修正時刻情報を生成する修正時刻情報生成工程と、
前記修正時刻情報生成部が前記修正時刻情報を生成するときに参照する前記地域時刻補正情報を選択するための地域時刻補正情報選択情報を格納する地域時刻補正情報選択情報格納部を有し、
前記修正時刻情報生成部は、前記修正時刻情報生成工程で、少なくとも、前記地域時刻補正情報選択情報に基づき選択された一の前記地域時刻補正情報に基づき前記修正時刻情報を生成し、
前記時刻情報修正部は、前記一の前記地域時刻補正情報に基づき生成された前記修正時刻情報に基づき前記時刻表示部の前記表示時刻情報を修正することを特徴とする時刻修正方法。
【発明の詳細な説明】
【技術分野】
【０００１】
本発明は、例えばＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号に含まれる時刻情報に基づいて時刻修正を行う時刻修正装置、時刻修正装置付き計時装置及び時刻修正方法に関するものである。
【背景技術】
【０００２】
現在、ＣＤＭＡ方式の携帯電話通信網で基地局から携帯電話機に対して発信される信号には、時刻情報が含まれ、この時刻情報は、ＧＰＳ（Ｇｌｏｂａｌ  Ｐｏｓｉｔｉｏｎｉｎｇ  Ｓｙｓｔｅｍ）衛星の原子時計に基づくＧＰＳ時刻に合致した極めて精度の高い時刻情報となっている。
したがって、このＣＤＭＡ方式の携帯電話通信網で基地局から送信されるＧＰＳ時刻データを端末が取得し、このＧＰＳ時刻データを用いて内蔵時計の時刻データを補正しようとする提案がなされている（例えば、特許文献１）。
【特許文献１】特開２０００−３２１３８３号公報（要約等）
【発明の開示】
【発明が解決しようとする課題】
【０００３】
このような、ＣＤＭＡ方式の携帯電話通信網で基地局から送信される時刻データには、ローカルオフセット時間情報、すなわち、ＵＴＣ（世界協定時）からの時差情報等が含まれている。このため、基地局から送信されたデータに基づいて補正される時刻は、当該地域の時差に合わせた時刻とすることができる。
しかし、例えば、アメリカ合衆国のように、同一国内でも州が異なれば時差が変わることがあり、このような時差が異なる地域を日常的に移動している人々が、上述のＣＤＭＡ方式の基地局からの時刻情報に基づいて時刻修正を行う時計等の機器を所持する場合がある。
この場合、時計等の機器が時刻修正をする際に、偶然所在した地域の時差に基づいて時刻修正をするため、本来、日常的に活動している地域の時刻は表示されないという事態が生じる。この場合は、ＣＤＭＡ方式の基地局からの時刻情報に基づき精度良く時刻修正することが、逆に利用者にとって、その所持する機器を使い難くするという問題があった。
【０００４】
そこで、本発明は、時差等が変化する状況下にあっても、利用者にとって使い易く且つ、精度の高い時刻修正が可能な時刻修正装置、時刻修正装置付き計時装置及び時刻修正方法を提供することを目的とする。
【課題を解決するための手段】
【０００５】
前記課題は、本発明によれば、基地局からの信号を受信する受信部と、前記受信部が通信を行うための電力を供給する電源部と、時刻表示部の表示時刻情報を修正する時刻情報修正部と、前記時刻表示部が前記表示時刻情報を修正するための修正時刻情報を格納する修正時刻情報格納部と、前記修正時刻情報を生成するための修正時刻情報生成部と、を有する時刻修正装置であって、前記受信部が受信した前記信号は、少なくとも、前記基地局の所在によって変化しない基本時刻情報と、この基本時刻情報を当該基地局が所在する地域の地域時刻情報に補正するために地域時刻補正情報と、を含み、前記受信部が前記地域時刻補正情報を時系列に取得した複数の前記地域時刻補正情報を格納する地域時刻補正情報格納部を有し、前記修正時刻情報は、少なくとも、前記基本時刻情報及び前記地域時刻補正情報に基づいて生成され、前記修正時刻情報生成部が前記修正時刻情報を生成するときに参照する前記地域時刻補正情報を選択するための地域時刻補正情報選択情報を格納する地域時刻補正情報選択情報格納部を有し、前記修正時刻情報生成部は、少なくとも、前記地域時刻補正情報選択情報に基づき選択された一の前記地域時刻補正情報に基づき前記修正時刻情報を生成し、前記時刻情報修正部は、前記一の前記地域時刻補正情報に基づき生成された前記修正時刻情報に基づき前記時刻表示部の前記表示時刻情報を修正する構成となっていることを特徴とする時刻修正装置により達成される。
【０００６】
前記構成によれば、修正時刻情報は、少なくとも、基本時刻情報及び地域時刻補正情報に基づいて生成されるので、時刻修正は、当該地域の例えば時差情報を考慮した地域時間（例えば、カリフォルニア時間等）として行われるので、使い易い時刻情報となっている。
また、受信部が地域時刻補正情報を時系列に取得した複数の地域時刻補正情報を格納する地域時刻補正情報格納部を有し、修正時刻情報生成部は、少なくとも、地域時刻補正情報選択情報に基づき選択された一の地域時刻補正情報に基づき修正時刻情報を生成する構成となっている。そして、時刻情報修正部は、一の地域時刻補正情報に基づき生成された修正時刻情報に基づき時刻表示部の表示時刻情報を修正する構成となっている。
このため、時刻修正装置の所持者が例えば、アメリカ合衆国等で頻繁に時差を跨ぐ移動をする場合等でも、その頻繁に跨ぐ時差、例えば１時間では、時差変更がなかったものと扱うように地域時刻補正情報選択情報を設定することで、時差変更を行うことなく時刻修正を実施することができる。このため、頻繁な時差の変更を回避しつつ、精度の高い時刻修正を行うことが可能となり、所持者にとって使い易い時刻修正装置となる。
【０００７】
好ましくは、利用者に対して情報を表示する表示部と、前記表示部を制御する表示制御部と、前記時刻情報修正部は、前記複数の地域時刻補正情報のそれぞれに基づいて複数の前記修正時刻情報を生成し、前記表示制御部が前記複数の前記修正時刻情報を、前記表示部に表示する構成となっており、前記表示部に表示された前記複数の前記修正時刻情報を利用者が選択するための表示選択部を有することを特徴とする時刻修正装置である。
【０００８】
前記構成によれば、時刻情報修正部は、複数の地域時刻補正情報のそれぞれに基づいて複数の修正時刻情報を生成し、表示制御部が複数の修正時刻情報を、表示部に表示する構成となっており、表示部に表示された複数の修正時刻情報を利用者が選択するための表示選択部が時刻修正装置に備わっている。
このため、地域時刻補正情報格納部に複数の地域時刻補正情報が格納されている場合は、それらについて、それぞれ修正時刻情報を生成し、生成されたそれぞれの修正時刻情報を表示部に表示することができる。
そして、その表示された修正時刻情報のうち利用者が好ましい修正時刻情報を選択し、決定することができる。  
したがって、地域時刻補正情報選択情報で、一の地域時刻補正情報を選択した場合でも、選択された一の地域時刻補正情報に基づく修正時刻情報と、選択されなかった地域時刻補正情報に基づく修正時刻情報を共に表示部に表示することができる。このため、利用者が地域補正情報選択情報にかかわらず、その好ましい修正時刻情報を採択することができる。
つまり、地域時刻補正情報選択情報で、例えば前回に取得した地域時刻補正情報である例えば、ローカルオフセット時刻情報と、今回取得したロールオフセット時刻情報が、例えば３０分の時差の範囲を超える場合は、超えた場合のローカルオフセット時刻情報を用いるとされていた場合でも、一律に３０分を超えるローカルオフセット時刻情報に基づいて時刻修正を行うのではなく、前回と今回のローカルオフセット時刻情報に基づき生成した修正時刻情報を共に表示し、利用者の選択にとって利便性が高い時刻修正装置となる。
【０００９】
好ましくは、前記地域時刻補正情報選択情報が、前記表示選択部が選択する前記修正時刻情報に基づき変化する構成となっていることを特徴とする時刻修正装置である。
【００１０】
前記構成によれば、地域時刻補正情報選択情報が、表示選択部が選択する前記修正時刻情報に基づき変化する構成となっているので、利用者の利便性の要請が変化した場合でも、その変化に対応した地域時刻補正情報選択情報となる。
例えば、一旦、地域時刻補正情報選択情報を、前回に取得した地域時刻補正情報である例えば、ローカルオフセット時刻情報と、今回に取得したロールオフセット時刻情報が、例えば３０分の時差の範囲を超える場合は、超えた場合のローカルオフセット時刻情報を用いるとされていた場合でも、利用者が前回のローカルオフセット時刻情報を選択したときは、この地域時刻補正情報選択情報を、例えば１時間に変化させることができる。
これにより、次回からは、ローカルオフセット時刻情報が、例えば、３０分の時差を超える場合でも１時間以内であれば、前回のローカルオフセット時刻情報に基づいて時刻修正されるので、利用者の要請の変化にかなう時刻修正を行うことができる。
【００１１】
好ましくは、前記受信部が受信した前記信号には、前記受信部が受信する時刻である受信時刻情報から所定時間経過後の未来時刻情報が含まれ、前記未来時刻情報と前記受信時刻情報との差分時間情報を格納する差分時間情報格納部と、少なくとも、前記受信部が受信した前記未来時刻情報と前記差分時間情報に基づいて前記受信部の受信時刻情報を生成する受信時刻情報生成部と、を有し、前記修正時刻情報生成部は、前記受信時刻情報生成部で生成された前記受信時刻情報と、少なくとも、時刻修正装置の処理時間情報に基づき、前記修正時刻情報を生成する構成となっていることを特徴とする時刻修正装置である。
【００１２】
前記構成によれば、時刻修正装置の受信部が受信する信号には、受信部が受信する時刻である受信時刻情報から所定時間経過後の未来時刻情報となっている。また、時刻修正装置は、この受信時刻情報と未来時刻情報との差分時間情報を有している。
また、時刻修正装置は、この未来時刻情報と差分時間情報に基づき受信時刻情報を生成する受信時刻情報生成部を有している。
このため、この受信時刻情報生成部によって、時刻修正装置が受信した受信時刻情報を正確に取得することができる。
したがって、前記構成では、従来のように基地局から受信した未来時間について、当該未来時刻となるまで、受信部が信号を受信し続けなくても、正確な時刻情報を取得できる。このため、時刻修正装置の受信部は、未来時刻情報を取得した後、信号を受信し続ける必要がなく、受信部が信号を受信しない状態とすることができる。
以上から、従来と比べ、信号を受信する時間を大幅に減らすことができ、消費電力を大幅に少なくすることができる。つまり、前記構成では、超低電力が求められる機器等にも対応可能な時刻修正装置となる。
【００１３】
ところで、上述の受信時刻情報で時刻修正装置の時刻情報修正部が時刻表示部を修正すると、この受信時刻情報を算出等するために同装置が動作等した時間だけ時刻が相違することになる。
時刻修正装置は、修正時刻情報生成部が、少なくとも、上述の受信時刻情報と処理時間情報に基づいて、修正時刻情報を生成する構成を有している。
すなわち、前記構成の時刻修正装置は、同装置内で、かかる受信時刻情報生成部が動作等する時間である処理時間情報を有し、この処理時間情報に基づき、最終的に時刻情報表示部を修正することで、極めて精度の高い時刻修正を可能としている。
【００１４】
好ましくは、前記受信部が受信する前記信号は、少なくとも、ＧＰＳ衛星のＧＰＳ時刻情報、前記基地局から発信される信号の基地局誤差時間情報、前記基本時刻情報である前記ＧＰＳ時刻情報を世界協定時（ＵＴＣ）に換算するＵＴＣ換算情報及び前記地域時刻補正情報である地域時間に換算する地域時間換算情報を有し、前記受信時刻情報生成部は、少なくとも、前記ＧＰＳ時刻情報、前記ＵＴＣ換算情報、前記地域時間換算情報、前記基地局誤差時間情報及び前記差分情報に基づいて前記受信時刻情報を生成する構成となっていることを特徴とする時刻修正装置である。
【００１５】
前記構成によれば、受信部が受信する信号は、時刻情報は、ＧＰＳ時刻情報を有している。これは地球の上空を周回するＧＰＳ衛星内の原子時計のデータであり、極めて正確な時間情報である。また、信号は、基地局誤差時間情報を有している。この基地局誤差時間情報は、信号の受信側がどの基地局からの信号を受信したかを識別するため、時刻を違えて信号を送信している情報であり、例えば、６４チップ（０．０５２ｍｓ）単位ずつ時刻を違えて送信している。受信側はこの時刻誤差を把握することで、基地局を特定することができることなる。
したがって、時刻修正装置は、ＧＰＳ時刻情報と、基地局誤差時間情報で、誤差がないより正確な実際の受信時刻情報を取得することが可能な構成となっている。
【００１６】
また、信号は、ＧＰＳ時刻情報を世界協定時に換算するＵＴＣ換算情報や地域時間に換算する地域時間換算情報を有し、受信時刻情報生成部は、少なくとも、ＧＰＳ時刻情報、ＵＴＣ換算情報、地域時間換算情報、基地局誤差時間情報及び差分情報に基づいて前記受信時刻情報を生成する構成となっている。
このため、ＧＰＳ時刻を世界協定時に直し、さらに地域時間（例えば、日本時間）に直すことができるので、時刻修正装置が修正しようとする時刻情報表示部が所在する国や地域等における時差を考慮した当該国及び地域の時間を正確に取得することができる。
【００１７】
好ましくは、前記受信部が受信する前記信号には、季節時間に換算する季節時間情報が含まれることを特徴とする時刻修正装置である。
【００１８】
前記構成によれば、時刻情報には、季節時間に換算する季節時間情報が含まれているので、地域によってサマータイム等の季節時間が変更する場合でも、この変更する季節時間に合った時刻を正確に取得することができる。
【００１９】
好ましくは、前記基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であることを特徴とする時刻修正装置である。
【００２０】
前記構成によれば、基地局から発信される信号が、ＣＤＭＡ（Ｃｏｄｅ  Ｄｉｖｉｓｉｏｎ  Ｍｕｌｔｉｐｌｅ  Ａｃｃｅｓｓ、符号分割多重接続）方式の携帯電話通信網で基地局から発信される信号であるので、ＣＤＭＡ方式の携帯電話通信網を利用することで、精度の高い時刻修正をすることができる。
【００２１】
前記課題は、本発明によれば、基地局からの信号を受信する受信部と、前記受信部が通信を行うための電力を供給する電源部と、表示時刻情報を表示する時刻表示部と、前記時刻表示部の表示時刻情報を修正する時刻情報修正部と、前記時刻表示部が前記表示時刻情報を修正するための修正時刻情報を格納する修正時刻情報格納部と、前記修正時刻情報を生成するための修正時刻情報生成部と、を有する時刻修正装置付き計時装置であって、前記受信部が受信した前記信号は、少なくとも、前記基地局の所在によって変化しない基本時刻情報と、この基本時刻情報を当該基地局が所在する地域の地域時刻情報に補正するために地域時刻補正情報と、を含み、前記受信部が前記地域時刻補正情報を時系列に取得した複数の前記地域時刻補正情報を格納する地域時刻補正情報格納部を有し、前記修正時刻情報は、少なくとも、前記基本時刻情報及び前記地域時刻補正情報に基づいて生成され、
前記修正時刻情報生成部が前記修正時刻情報を生成するときに参照する前記地域時刻補正情報を選択するための地域時刻補正情報選択情報を格納する地域時刻補正情報選択情報格納部を有し、前記修正時刻情報生成部は、少なくとも、前記地域時刻補正情報選択情報に基づき選択された一の前記地域時刻補正情報に基づき前記修正時刻情報を生成し、前記時刻情報修正部は、前記一の前記地域時刻補正情報に基づき生成された前記修正時刻情報に基づき前記時刻表示部の前記表示時刻情報を修正する構成となっていることを特徴とする時刻修正装置付き計時装置である。
【００２２】
前記課題は、本発明によれば、基地局からの信号を受信する受信部と、前記受信部が通信を行うための電力を供給する電源部と、時刻表示部の表示時刻情報を修正する時刻情報修正部と、前記時刻表示部が前記表示時刻情報を修正するための修正時刻情報を格納する修正時刻情報格納部と、前記修正時刻情報を生成するための修正時刻情報生成部と、を有する時刻修正方法であって、前記受信部が受信した前記信号は、少なくとも、前記基地局の所在によって変化しない基本時刻情報と、この基本時刻情報を当該基地局が所在する地域の地域時刻情報に補正するために地域時刻補正情報と、を含み、前記受信部が前記地域時刻補正情報を時系列に複数取得し、地域時刻補正情報格納部に格納する地域時刻補正情報取得工程と、前記修正時刻情報生成部が、少なくとも、前記基本時刻情報及び前記地域時刻補正情報に基づいて前記修正時刻情報を生成する修正時刻情報生成工程と、前記修正時刻情報生成部が前記修正時刻情報を生成するときに参照する前記地域時刻補正情報を選択するための地域時刻補正情報選択情報を格納する地域時刻補正情報選択情報格納部を有し、前記修正時刻情報生成部は、前記修正時刻情報生成工程で、少なくとも、前記地域時刻補正情報選択情報に基づき選択された一の前記地域時刻補正情報に基づき前記修正時刻情報を生成し、前記時刻情報修正部は、前記一の前記地域時刻補正情報に基づき生成された前記修正時刻情報に基づき前記時刻表示部の前記表示時刻情報を修正することを特徴とする時刻修正方法により達成される。
【発明を実施するための最良の形態】
【００２３】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２４】
図１は、本発明に係る時刻修正装置付き計時装置である例えば、時刻修正装置付き腕時計１０（以下「腕時計」という）を示す概略図であり、図２は、図１の腕時計１０の内部の主なハードウエア構成等を示す概略図である。
図１に示すように、腕時計１０は、その表面に文字板１２、長針、短針等の針１３等が配置されると共に、各種メッセージが表示されるＬＥＤ等からなるディスプレイ１４が形成されている。なお、ディスプレイ１４は、ＬＥＤの他、ＬＣＤ、アナログ表示等でも構わない。
【００２５】
また、図１に示すように、腕時計１０は、アンテナ１１を有しており、このアンテナ１１は、ＣＤＭＡ基地局１５ａ、１５ｂ等からの信号を受信する構成となっている。つまり、ＣＤＭＡ基地局１５ａ等は、ＣＤＭＡ方式の携帯電話通信網の基地局となっている。
しかし、本実施の形態の腕時計１０は携帯電話機能を有していないためのＣＤＭＡ基地局１５ａ等と電話通信をするものではなく、ＣＤＭＡ基地局１５ａ等から送信される信号から時刻情報等を受信し、その信号に基づいて時刻修正をしようとするものである。ＣＤＭＡ基地局１５ａ等から送信される信号も内容については後述する。
また、図１に示すように、腕時計１０には、その利用者が操作可能なりゅうず２８が形成されている。
このディスプレイ１４は、利用者に対して情報を表示する表示部の一例となっている。  
【００２６】
先ず、図１の腕時計１０のハードウエア構成等について説明する。図２に示すように、腕時計１０はバス２０を備え、バス２０には、ＣＰＵ（Ｃｅｎｔｒａｌ  Ｐｒｏｃｅｓｓｉｎｇ  Ｕｎｉｔ）２１、ＲＡＭ（Ｒａｎｄｏｍ  Ａｃｃｅｓｓ  Ｍｅｍｏｒｙ）２２、ＲＯＭ（Ｒｅａｄ  Ｏｎｌｙ  Ｍｅｍｏｒｙ）２３等が接続されている。
また、バス２０には、ＣＤＭＡ基地局１５ａ等からの信号を受信する受信部である例えば、ＣＤＭＡ基地局電波受信機２４が接続されている。このＣＤＭＡ基地局電波受信機２４は、図１のアンテナ１１を有している。
また、バス２０には、時計機構であるＩＣ（半導体集積回路）等からなるリアルタイムクロック（ＲＴＣ）２５や温度補償回路付き水晶発振回路（ＴＣＸＯ）２６等も接続されている。
【００２７】
このように、図１の文字板１２、針１３、ＲＴＣ２５及びＴＣＸＯ２６等は、表示時刻情報を表示する時刻表示部の一例となっている。
【００２８】
また、バス２０には、電池２７が接続され、この電池２７は、受信部（例えば、ＣＤＭＡ基地局電波受信機２４等）が通信を行うための電力を供給する電源部の一例となっている。
【００２９】
また、バス２０には、図１のディスプレイ１４やりゅうず２８が接続されている。このように、バス２０は、すべてのデバイスを接続する機能を有し、アドレスやデータパスを有する内部バスである。ＲＡＭ２２は、所定のプログラムの処理を行う他、バス２０に接続されたＲＯＭ２３等を制御している。ＲＯＭ２３は、各種プログラムや各種情報等を格納している。
【００３０】
図３乃至図６は、腕時計１０の主なソフトウエア構成等を示す概略図であり、図３は全体図である。
図３に示すように、腕時計１０は、制御部２９を有し、制御部２９は、図３に示す各種プログラム格納部３０内の各種プログラム、第１の各種データ記憶部４０内の各種データ及び第２の各種データ記憶部５０内の各種データを処理する構成となっている。
また、図３には、各種プログラム格納部３０、第１の各種データ記憶部４０及び第２の各種データ記憶部５０と分けて示してあるが、実際に、このようにデータが分けて格納されているわけではなく、説明上の便宜のために分けて記載したものである。
なお、図３の第１の各種データ記憶部４０には、主に予め格納されているデータをまとめて示した。また、第２の各種データ記憶部５０には、第１の各種データ記憶部４０内のデータ等を各種プログラム格納部３０内のプログラムで処理した後のデータ等を主に示した。
図４は、図３の各種プログラム格納部３０内のデータを示す概略図であり、図５は、図３の第１の各種データ記憶部４０内のデータを示す概略図である。また、図６は、図３の第２の各種データ記憶部５０内のデータを示す概略図である。
図７乃至図１２は、本実施の形態にかかる腕時計１０の主な動作等を示す概略フローチャートである。
【００３１】
以下、図７乃至図１２のフローチャートにしたがって本実施の形態に係る腕時計１０の動作等を説明しつつ、その関連で図４乃至図６の各種プログラムや各種データを説明する。
フローチャートの説明に入る前にＣＤＭＡ方式の携帯電話システムのうち、本実施の形態と関連ある部分を説明する。
ＣＤＭＡ方式の携帯電話システムは米国クアルコム社が開発した方式が１９９３年に米国の標準方式の一つ「ＩＳ９５」に採用したことから本格的な運用が開始されており、これ以降、ＩＳ９５Ａ、ＩＳ９５Ｂ、ＣＤＭＡ２０００という改訂を経て現在に至っている。また、日本国ではＡＲＩＢ  ＳＴＤ−Ｔ５３に準じて携帯電話システムが運用されている。
このようなＣＤＭＡ方式は下り（ＣＤＭＡ基地局１５ａ等から移動局、本実施の形態では腕時計１０）は同期通信であるため、腕時計１０がＣＤＭＡ基地局１５ａ等の時刻データと同期する必要がある。ＣＤＭＡ基地局１５ａ等から送信される信号は、具体的には、パイロットチャネル信号と、シンクチャネル信号を有している。パイロットチャネル信号は、ＣＤＭＡ基地局１５ａ等ごとに、異なったタイミングで発信されている信号であり、例えば、パイロットＰＮ信号である。
【００３２】
図１３は、ＣＤＭＡ基地局１５ａ、１５ｂから送信される信号の同期タイミング等を示す概略図である。
これらのＣＤＭＡ基地局１５ａ、１５ｂから送信される信号は、同じであるため、この信号がどのＣＤＭＡ基地局１５ａ等から発信したかを識別するため、各ＣＤＭＡ基地局１５ａ等は、それぞれ他のＣＤＭＡ基地局１５ａ等と異なるタイミングで信号を発信している。
具体的には、このタイミングの相違は、ＣＤＭＡ基地局１５ａ等が発信するパイロットＰＮ信号の相違として表れる。すなわち、例えば、図１３のＣＤＭＡ基地局１５ｂは、ＣＤＭＡ基地局１５ａより僅かに遅れたタイミングで信号を発信している。具体的には、６４ｃｈｉｐｓ（０．０５２ｍｓ（ミリ秒））分だけ、パイロットＰＮオフセットを設けている。
このように多数のＣＤＭＡ基地局１５ａ等が存在しても、各ＣＤＭＡ基地局１５ａ等が６４ｃｈｉｐの整数倍だけ、それぞれ異なるパイロットＰＮオフセットを設けることで、受信する腕時計１０は、どのＣＤＭＡ基地局１５ａ等からの信号を受信したかを容易に把握することができる構成となっている。
【００３３】
また、ＣＤＭＡ基地局１５ａ等から発信される信号には、シンクチャネル信号があり、これが図１４のシンクチャネルメッセージである。図１４は、シンクチャネルメッセージの内容を示す概略図である。
図１４に示すように、シンクチャネルメッセージには、上述したパイロットＰＮ信号のデータ、例えば、パイロットＰＮオフセットデータが６４ｃｈｉｐｓ（０．０５２ｍｓ）×Ｎ（０〜５１２）であることを示すデータが含まれている。このデータは、図１４では「ＰＩＬＯＴ＿ＰＮ」で表されている。
また、シンクチャネルメッセージには、ＧＰＳ時刻データであるシステム時間のデータも含まれている。
ＧＰＳ時刻は毎週日曜日の０時からの経過時間が秒で表示され、翌週の日曜日の０時に０に戻るようになっている。そして、この１週間についてはＧＰＳの週番号が付されているので、週番号と経過時間（秒）のデータを取得することで、受信側はＧＰＳ時刻を取得できる構成となっている。このデータは、図１４では「ＳＹＳ＿ＴＩＭＥ」で表されている。
【００３４】
また、シンクチャネルメッセージには、世界協定時（ＵＴＣ）に換算するための「うるう秒」のデータも含まれている。このデータは、図１４では、「ＬＰ＿ＳＥＣ」で表されている。
また、シンクチャネルメッセージには、時計１０が所在する国又は地域のＵＴＣに対する時差データである、ローカルオフセット時間が含まれている。すなわち、例えば、アメリカ合衆国のカリフォルニア州の場合は、ＵＴＣに８時間マイナスされた時間である旨のデータ等が格納されている。
このデータは、図１４では、「ＬＴＭ＿ＯＦＦ」で表される。
また、シンクチャネルメッセージには、時計１０が所在する国や地域がサマータイム等を採用しているか否かのサマータイムデータも含まれている。アメリカ合衆国のカリフォルニア州の場合は、サマータイム制を採用し、１時間早まるため、そのデータは「＋１」となる。しかし、カリフォルニア州に隣接するアリゾナ州では、サマータイム制を採用していないため、そのデータは「０」となる。このデータは、図１４では、「ＤＡＹＬＴ」で表される。
【００３５】
このように、図１４のパイロットＰＮ信号データが、基地局（例えば、ＣＤＭＡ基地局１５ａ等）から発信される信号の基地局誤差時間情報の一例であり、ローカルオフセット情報が、地域時間に換算する地域時間換算情報及び地域時刻補正情報の一例となっている。また、サマータイムデータは、季節時間に換算する季節時間情報及び基地局の所在によって変化しない基本時刻情報の一例となっている。
【００３６】
図１４のシンクチャネルメッセージには、以上のような内容のデータが含まれるが、具体的には、各データは時系列に順番に送信される、送信される信号は、図１３に示すように、８０ｍｓ単位からなるスーパーフレーム（Ｓ）単位で送信され、シンクチャネルメッセージの最後のデータが含まれるのが、図１３のラストスーパーフレーム（ＬＳ）となる。すなわち、図１３のラストスーパーフレーム（ＬＳ）の最後のタイミング（図１３の「Ｅ」「ＥＥ」で示す部分）が、シンクチャネルメッセージの受信完了のタイミングとなっている。
また、ＣＤＭＡ方式では、図１４のシンクチャネルメッセージの上述のＧＰＳ時刻は、図１３の「Ｅ」における時刻とはなっておらず、その後、４スーパーフレーム（３２０ｍｓ）後における時刻、すなわち、図１３の「Ｆ」における時刻となっている。
具体的には、上述したパイロットＰＮオフセットデータが、０ｃｈｉｐ（０ｍｓ）の場合の時刻を基準とした、ラストスーパーフレームの最後のタイミングから４スーパーフレーム後の時刻となる。
【００３７】
これは、ＣＤＭＡがそもそも携帯電話で通信するためのシステムであることに基づく。つまり、携帯電話機は、ＣＤＭＡ基地局１５ａ等から図１４に示す、シンクチャネルメッセージを受信した後、ＣＤＭＡ基地局１５ａ等との同期通信をするための準備を携帯電話機内で行う必要がある。
具体的には、次のステージである「待ち受け状態」へ遷移するための準備をした後、ＣＤＭＡ基地局１５ａ等と同期をとり通信することになる。
そこで、この準備時間を考慮して、ＣＤＭＡ基地局１５ａ等は、予め未来の時刻である３２０ｍｓ後の時間を、事前に送信し、この時間を受信した携帯電話機が内部で処理を行い、準備が終わった後、この時刻でＣＤＭＡ基地局１５ａ等と同期を取りに行くと同期を取りやすくなるという構成となっている。換言すれば、この４スーパーフレーム（３２０ｍｓ）が携帯電話機側の準備時間となっている。
【００３８】
以上が、本実施の形態におけるＣＤＭＡ方式の携帯電話システムの概略であり、以上の前提で、以下、本実施の形態を説明する。
本実施の形態では、先ず、シンクチャネル信号を受信し、精度良く時刻修正を行うが、シンクチャネル信号には、図１４に示すように「ローカルオフセット時間」、すなわち、当該地域の時差情報もあるため、時刻修正は後述するように時差情報についても精度良く行われてしまう。
これは、日本等のように国内を移動しても時差が変わらない地域では、最も好ましいシステムとなる。しかし、アメリカ合衆国のように州が変わると時差も変わる地域で、日常的に時差が異なる州と州の間を移動している腕時計１０の利用者にとっては、本実施の形態にかかる時刻修正の動作が行われると、その時刻修正が行われた際の州の時差に合わされることになる。
この時差を合わした州が利用者の居住している州であればよいが、偶然、移動で立ち寄った州等である場合は、かえって使い難いこととなる。
そこで、本実施の形態では、時差の修正については、利用者が使い易いように修正がおこなわれるようになっている。
【００３９】
以下、本実施の形態を説明するに際し、先ず、最初にＣＤＭＡ方式を利用した精度が高く、低消費電力の時刻修正の全体の動作等について説明し、その後、時差の調整動作について説明する。
【００４０】
腕時計１０の時刻修正をする場合は、先ず、腕時計１０は、図７のＳＴ１に示すように、ＣＤＭＡ基地局１５ａ等から送信される電波のうち、パイロットチャネルの信号電波を受信するためのパイロットチャネルスキャンを行う。
そして、ＳＴ２では、腕時計１０と、一番近いＣＤＭＡ基地局１５ａ等からのパイロットチャネル信号と同期を取る。
具体的には、図４のパイロットＰＮ同期プログラム３１が、図１３に示すような、８０ｍｓ毎のパイロットチャネル信号（パイロットＰＮ信号）であるスーパーフレーム（Ｓ）と同期を取る。つまり、信号電波をダウンコンバートし、図示しないベースバンド部が、パイロットチャネル（ｗａｌｓｈ特定関数）の信号にパイロットＰＮコードをミキシングして同期を取る。
【００４１】
次にＳＴ３で、パイロットＰＮ同期プログラム３１が、ＣＤＭＡ基地局１５ａ等のパイロットチャネル信号と同期が完了したか否かを判断し、同期が完了しない場合は、ＳＴ４で、腕時計１０が有するサービルエリアテーブルを全て参照したか（一巡したか）判断し、全て参照していない場合は、ＳＴ５に進む。
ＳＴ５では、日本、アメリカ、中国、カナダ等におけるＣＤＭＡ基地局１５ａ等のデータを参照し、そのデータに基づきＳＴ１のパイロットチャネルスキャンを行う。
つまり、例えば、腕時計１０は、アメリカ合衆国のカリフォルニア州のＣＤＭＡ基地局１５ａ等を探しているが、実際は、日本に所在していたという場合は、ＳＴ３でパイロットチャネル信号と同期を取ることができない。そこで、ＳＴ５で日本のＣＤＭＡ基地局１５ａ等のデータを取得し
、そのデータに基づき、ＳＴ１のパイロットチャネルスキャンを行う。
【００４２】
一方、ＳＴ４で、腕時計１０が持っているサービルエリアテーブルを全て参照したにもかかわらずパイロットチャネル信号との同期を取ることができないときは、ＳＴ６に進む。ＳＴ６では、ユーザに時刻修正が行われていないことを示すため、例えば、図１の秒針を３秒動かすことで、その旨をユーザに知らせる。そして、時刻修正をユーザ判断に任せ、終了する。
【００４３】
一方、ＳＴ３で、パイロットチャネル信号との同期が完了したときは、ＳＴ７へ進む。
ＳＴ７では、パイロットチャネルからシンクチャネルに切り替えられ、シンクチャネルメッセージの受信を開始する。
具体的には、シンクチャネルメッセージ受信プログラム３２が図１４に示すような、シンクメッセージの受信を開始する。
次に、ＳＴ８でシンクチャネルメッセージの受信が完了したか否かを判断し、シンクチャネルメッセージの受信が完了していないときは、ＳＴ９でタイムアウトか否かを判断し、タイムアウトの場合は、再び、ＳＴ８でシンクチャネルメッセージを受信し直す。
【００４４】
一方、ＳＴ８でシンクチャネルメッセージの受信が完了すると、ＳＴ１０へ進み、図３のＣＤＭＡ基地局電波受信機２４が信号の受信を停止する。
具体的には、受信機制御プログラム３３が動作して、ＣＤＭＡ基地局電波受信機２４のＣＤＭＡ基地局１５ａ等からの電波受信を停止する。つまり、図１３のラストスーパーフレーム（ＬＳ）の終了のタイミングである「Ｅ」や「ＥＥ」で示すタイミングで電波受信を終了する。
これで、腕時計１０は、図１４に示す全てのシンクチャネルメッセージを受信したことになり、このシンクチャネルメッセージは図６のシンクチャネルメッセージデータ格納部５１に、シンクチャネルメッセージデータ５１ａとして格納される。
【００４５】
次に、ＳＴ１１に進む。ＳＴ１１以降は、既にＣＤＭＡ基地局１５ａ等から取得したシンクチャネルメッセージの情報に基づいて、時刻修正のためのデータを作成し、実際に時刻修正を行う工程となる。
先ず、ＳＴ１１では、腕時計１０は、例えばアメリカ合衆国のカリフォルニア州に所在するため、図６のシンクチャネルメッセージデータ５１ａから、ＧＰＳ時刻、うるう秒、ローカルオフセット時間（カリフォルニア州の場合はＵＴＣから８時間を減算する）、サマータイム時間（カリフォルニア州の場合は、サマータイムがあるので１時間加える）を抽出し、図４の第１次ローカル時刻算出プログラム３４が動作して、第１次ローカル時刻である例えば、第１次カリフォルニア州時刻を算出する。
具体的には、ＧＰＳ時刻を基本にうるう秒データ等に基づいてＵＴＣ時刻を算出し、このＵＴＣ時刻に基づき、ローカルオフセット時間で、例えば、８時間を減算し、カリフォルニア時刻とする。また、カリフォルニア州では、サマータイム制を採用するので、ここで当該州等のサマータイム時間、例えば「＋１時間」等の補正を行う。したがって、この補正は、極めて、精度の高い時刻修正となる。
【００４６】
本実施の形態では、第１次カリフォルニア州時刻が算出され、この時刻はＧＰＳ時刻に基づいた基本的な時刻データとなる。
このように、算出された第１次カリフォルニア州時刻は、図６の第１次ローカル時刻データ格納部５２に第１次ローカル時刻データ５２ａとして格納される。
【００４７】
ここで算出された第１次ローカル時刻データ５２ａについて説明する。この第１次ローカル時刻データ５２ａは、図１３で説明すると以下のようになる。つまり、腕時計１０が図１３のＣＤＭＡ基地局１５ｂの信号を受信し、そのシンクチャネルメッセージを取得したとすると、受信した時刻（ＧＰＳ時刻）は、上述したパイロットＰＮオフセットデータが、０ｃｈｉｐ（０ｍｓ）の場合の時刻を規準とした、ラストスーパーフレームの最後のタイミングから４スーパーフレーム（３２０ｍｓ）後の時刻情報（図１３の例では「Ｆ」における時刻）となる。
しかし、図１３のＣＤＭＡ基地局１５ｂは、そのパイロットＰＮオフセットが例えば、６４ｃｈｉｐ（０．０５２ｍｓ）があるため、その分、実際の受信タイミングとしては、正確なＧＰＳ時刻とは相違している。つまり、図１３のＣＤＭＡ基地局１５ｂが実際にラストスーパーフレームの最後を受信したタイミングである「ＥＥ」は、腕時計１０が取得したＧＰＳ時刻にパイロットＰＮオフセット分を加算した時刻となる。
【００４８】
このため、本実施の形態では、以下の処理を行う。すなわち、ＳＴ１２で、図６の第１次ローカル時刻データ５２ａに対して以下のような補正をかける。
つまり、第１次ローカル時刻データ５２ａから３２０ｍｓ（４スーパーフレーム）を減算することで、図１３の「Ｆ」における時刻を「Ｅ」における時刻情報とする。さらに、ＣＤＭＡ基地局１５ｂの信号はパイロットＰＮオフセットが０．０５２ｍｓあるため、その分を加算する。
すると、ラストスーパーフレーム受信完了時（「ＥＥ」）の正しいＧＰＳ時刻に基づく例えば、カリフォルニア州時刻が生成されることになる。
このような計算は、図４の第２次ローカル時刻算出プログラム３５が、図６の第１次ローカル時刻データ５２ａ、図５の差分時間データ４１ａ及びパイロットＰＮオフセット時間データ４２ａ等に基づいて行い、その結果は、図６の第２次ローカル時刻データ５３ａとして第２次ローカル時刻データ格納部５３に格納される。
図５における差分時間データ４１ａの一例が、上述の３２０ｍｓ（４スーパーフレーム）というデータであり、差分時間データ格納部４１に格納される。また、パイロットＰＮオフセット時間データ４２ａの一例が、上述の６４ｃｈｉｐ（０．０５２ｍｓ）というデータであり、パイロットＰＮオフセット時間データ格納部４２に格納される。
【００４９】
また、ＳＴ１２でシンクチャネルメッセージから取得したＧＰＳ時刻等は、受信部（例えば、ＣＤＭＡ基地局電波受信機２４等）が受信する時刻である受信時刻情報（例えば、図１３の「Ｅ」における時刻情報等）から所定時間経過後（例えば、３２０ｍｓ経過後等）の未来時間情報の一例となっている。また、図５の差分時間データ４１ａが、差分時間情報の一例となっている。
また、第１次ローカル時刻算出プログラム３４及び第２次ローカル時刻算出プログラム３５が、受信部（例えば、ＣＤＭＡ基地局電波受信機２４等）が受信した未来時刻情報（例えば、図１３の「Ｆ」における時刻情報等）と差分時間情報（例えば、差分時間データ４１ａ等）に基づいて受信部の受信時刻情報（例えば、第２次ローカル時刻データ５３ａ等）を生成する受信時刻情報生成部の一例となっている。
【００５０】
ところで、このように、ＳＴ１２で算出された第２次ローカル時刻データ５３ａは、ＧＰＳ時刻に合致した精度の高い時刻であるが、ＳＴ１１やＳＴ１２の計算に要する時間等があり、この時間を考慮しないと、その計算時間等の分だけ時刻が相違する（狂う）ことになる。
そこで、ＳＴ１３の工程が行われる。すなわち、図６の第２次ローカル時刻データ５３ａに、処理遅延時間を加算して、最終ローカル時刻を算出する。つまり、この処理遅延時間が当該腕時計１０の上述の計算に要する時間等に該当するが、この時間は、当該腕時計１０によって時間は定まっている。
このため、本実施の形態では、図５に示すように、処理遅延時間データ４３ａを予め固定値として、処理遅延時間データ格納部４３に格納しておく。そして、図４の最終ローカル時間算出プログラム３６は、図６の第２次ローカル時刻データ５３ａに、処理遅延時間データ４３ａを加算して、より精度の高い時刻情報である最終ローカル時刻データとして、最終ローカル時刻データ格納部５４に格納する。
【００５１】
このように生成された、最終ローカル時刻データはＧＰＳ時刻に合致した極めて精度の高い時刻情報となる。なお、処理遅延時間は、処理時間情報の一例である。また、ＳＴ１３等は、修正時刻情報生成工程の一例である。
【００５２】
本実施の形態によれば、ＳＴ１０でＣＤＭＡ基地局電波受信機２４がＣＤＭＡ基地局１５ｂ等の電波の受信を停止するので、電池２７の消費電力を小さくすることができる。
この点について、図１３を用いて具体的に説明する。図１３の（Ｄ）はＣＤＭＡ基地局１５ｂからシンクチャネルメッセージを受信し、その後、時刻同期を行う、従来の電源シーケンスを示す。図１３に示すように、従来は、図１３の「ＦＦ」の部分まで信号を継続して受信しているため電源は継続して信号受信用の出力状態となっている。
これに対して、本実施の形態の電源シーケンスは図１３の（Ｃ）である。（Ｃ）に示すように、信号の受信は、図１３の「ＥＥ」の部分で終了し、その後、通信を行っていない。
このため、本実施の形態の腕時計１０は、消費電力を小さくすることができるので、超低電力が要求される時計等の機器にも搭載可能であり、且つ、極めて高精度な時刻修正も可能となっている。
【００５３】
ＳＴ１３で、腕時計１０は、ＲＴＣ２５等を修正すべき最終ローカル時刻データを取得したことになるが、この最終ローカル時刻データは、例えば、カリフォルニア州（アメリカ合衆国の太平洋岸の標準時）の時刻である。したがって、腕時計１０の利用者が、時差が異なる山岳部のアリゾナ州とカリフォルニア州との間を頻繁に移動等する場合は、カリフォルニア州の時間では、アリゾナ州では１時間の時差が生じ、正確な時間を表示することにはならない。さらに、アリゾナ州ではサマータイム制を採用していないため、夏期の間は、さらに１時間相違し、併せて２時間の誤差が生じてしまう。
また、逆に、偶然、アリゾナ州に所在していたときに上述のＣＤＭＡを利用した時刻修正を行うと、アリゾナ州の時差及びサマータイムの時間に腕時計１０のＲＴＣ２５等を合わせてしまう。
これでは、かかる時刻修正は腕時計１０の利用者に混乱をもたらし、使い難いことになるため、図８のＳＴ１４に示すような、ローカルオフセット時間及びサマータイム時間表示補正動作が行われる。
【００５４】
図９乃至図１２は、図８のローカルオフセット時間及びサマータイム時間表示補正動作を示す概略フローチャートである。
先ず、図９のＳＴ１４１が行われる。すなわち、図４のローカルオフセット／サマータイム抽出プログラム３９が、図６のシンクチャネルメッセージデータ５１ａから、今回のＣＤＭＡ基地局１５ｂから受信したローカルオフセット時刻（今回ローカルＴ）とサマータイム時刻（今回サマーＴ）をそれそれ、図６のローカルオフセット時刻データ格納部５６とサマータイムデータ格納部５７に格納する。
ここで、本実施の形態を以下の例で説明する。例えば、カリフォルニア州に生活の本拠がある利用者で、頻繁にアリゾナ州に移動する場合を例とする。
この例では、利用者はアリゾナ州でＣＤＭＡ基地局１５ｂ等からローカルオフセット時間を取得するので、「今回ローカルＴ」は「−７時間」となる。
また、「今回サマーＴ」は「０」（アリゾナ州はサマータイム未採用）となる。
このようなデータが、図６のローカルオフセット時刻データ５６ａ及びサマータイムデータ５７ａとなる。
【００５５】
これらローカルオフセット時刻データ５６ａやサマータイムデータ５７ａには、前回、利用者が例えば、カリフォルニア州でＣＤＭＡ基地局１５ａ等から取得したローカルオフセット時間（前回ローカルＴ）やサマータイム時間（前回サマーＴ）が既に格納されている。
すなわち、「前回ローカルＴ」は「−８時間」であり、「前回サマーＴ」は「＋１時間」である。
【００５６】
このように、ローカルオフセット時刻データ格納部１６は、受信部（例えば、ＣＤＭＡ基地局電波受信機２４等）が時系列に取得した複数の地域時刻補正情報（例えば、ローカルオフセット時間）を格納する地域時刻補正情報格納部の一例である。また、ＳＴ１４１は、地域時刻補正情報取得工程の一例である。
【００５７】
次に、ＳＴ１４２で、図４のローカルオフセット比較プログラム３１０が、図６のローカルオフセット時刻データ５６ａである「今回ローカルＴ」のデータ「−７時間」と「前回ローカルＴ」のデータ「−８時間」とを比較し、その差であるローカルオフセット差分時間（例えば、１時間）を算出し、図６のローカルオフセット差分時間（１時間）としてローカルオフセット差分時間データ格納部５８に格納される。
次に、ＳＴ１４３に進む。ＳＴ１４３では、図４のローカルオフセット閾値判断プログラム３１１が動作し、図６のローカルオフセット差分時間データ（１時間）が、図５のローカルオフセット閾値データ格納部４５に格納されているローカルオフセット閾値データ４５ａ（例えば、３０分）以上か否かを判断する。
【００５８】
このように、図５にローカルオフセット閾値データ格納部２５は、地域時刻補正情報選択情報を格納する地域時刻補正情報選択情報格納部の一例となっている。
【００５９】
上述の例では、ローカルオフセット差分時間データ（１時間）は、ローカルオフセット閾値データ（３０分）以上であるため、時刻修正に必要なローカルオフセット時間が前回と今回とで大きく変化している判断し、ＳＴ１４４へ進む。
一方、ローカルオフセット差分時間データが、ローカルオフセット閾値データ以上でない場合は、ローカルオフセット時間に変化がないと判断し、ＳＴ１４５に進む。
ＳＴ１４５については、後述する。
【００６０】
ＳＴ１４４では、最終ローカル時刻算出プログラム３６が、ローカルオフセット時刻データ５６ａの「今回ローカルＴ」（−７時間）と、サマータイムデータ５７ａの「今回サマーＴ」（０時間）に基づいて、上述のＳＴ１１、ＳＴ１２、ＳＴ１３等の工程を経て、「今回ローカルＴ及び今回サマーＴ基準の最終ローカル時刻データ５４ａが生成され、図６の最終ローカル時刻データ格納部５４に格納される。
つまり、上述の例の場合は、アリゾナ州における時刻情報が生成されることになる。
【００６１】
また、ＳＴ１４６では、最終ローカル時刻算出プログラム３６が、ローカルオフセットデータ５６ａの「前回ローカルＴ」（−８時間）と、サマータイムデータ５７ａの「前回サマーＴ」（＋１時間）に基づいて、上述のＳＴ１１、ＳＴ１２、ＳＴ１３等の工程を経て、「前回ローカルＴ及び前回サマーＴ基準の最終ローカル時刻データ５４ｂが生成され、図６の最終ローカル時刻データ格納部５４に格納される。
つまり、上述の例の場合は、カリフォルニア州における時刻情報が生成されることになる。
【００６２】
次に、ＳＴ１４７へ進む。ＳＴ１４７では、図４のディスプレイ制御プログラム３１２が動作し、ＳＴ１４６及びＳＴ１４７で生成した図６の「今回ローカルＴ／今回サマーＴ基準の最終ローカル時刻データ５４ａ」と「前回ローカルＴ／前回サマーＴ基準の最終ローカル時刻データ５４ｂ」を交互に図１のディスプレイ１４に表示する。具体的には１０秒間隔で３分間表示する。
【００６３】
このように、ディスプレイ制御プログラム３１２は、表示部（例えば、ディスプレイ１４等）を制御する表示制御部の一例であり、最終ローカル時刻データは修正時刻情報の一例となっている。また、最終ローカル時刻算出プログラム３６等は、修正時刻情報生成部の一例となっている。
【００６４】
次に、ＳＴ１４８へ進む。ＳＴ１４７では、上述の例では、アリゾナ州時刻とカリフォルニア州時刻が交互に表示されることになり、腕時計１０の所持者に対して、いずれの時刻で修正した方が良いか問うようになっている。
つまり、今回受信の信号は偶然、アリゾナ州のＣＤＭＡ基地局１５ａ等であったとすれば、このアリゾナ州の時刻で腕時計１０を修正しても利用者の利便性が向上しない。そこで、利用者に、いずれの時間で修正した方か良いか選ばせる構成となっている。
【００６５】
ＳＴ１４８では、図１のりゅうず２８を利用者が操作することで、図４の表示選択プログラム３１３が動作し、利用者の選択が確定する構成となっている。
このように、りゅうず２８と表示選択プログラム３１３等は、表示選択部の一例となっている。
【００６６】
ＳＴ１４８で、利用者がいずれも選択しないで３分間経過したときは（ＳＴ１４９）、ＳＴ１５０で、図４の修正用時刻データ選択プログラム３１４が動作して、図６の「今回ローカルＴ／今回サマーＴ基準の最終ローカル時刻データ５４ａ」を、修正用時刻データ５５ａとして修正用時刻データ格納部５５に格納される。
つまり、「今回ローカルＴ／今回サマーＴ基準の最終ローカル時刻データ５４ａ」が腕時計１０の修正用時刻データ５５ａとして確定する。
このため、修正用時刻データ５５ａは修正時刻情報の一例となっている。また、修正用時刻データ選択プログラム３１４は、最終ローカル時刻算出プログラム３６等と共に、修正時刻情報生成部の一例となっている。
【００６７】
一方、ＳＴ１４８及びＳＴ１５１で、利用者が「今回ローカルＴ／今回サマーＴ基準の最終ローカル時刻データ５３ａ」を選択した場合は、ＳＴ１５２で、図５のローカルオフセット閾値で４５ａを例えば、減らして、初期値である例えば、０分とする。
すなわち、図４のローカルオフセット閾値変更プログラム３１５が動作して、ローカルオフセット閾値データ４５ａが変更される構成となっている。
なお、ローカルオフセット閾値データ４５ａは、例えば３０分毎に変更可能な構成となっている。
【００６８】
このように、地域時刻補正情報選択情報（例えば、ローカルオフセット閾値データ４５ａ等）が表示選択部（例えば、りゅうず２８等）で選択する修正時刻情報（例えば、「今回ローカルＴ／今回サマーＴ基準の最終ローカル時刻データ」５４ａ等）に基づき変化する構成となっている。
【００６９】
その後、ＳＴ１５３で、「今回ローカルＴ／今回サマーＴ基準の最終ローカル時刻データ５３ａ」を修正用時刻データ５５ａとする。
つまり、上述の例では、利用者がアリゾナ州の時刻で修正を希望していると判断し、腕時計１０は、アリゾナ州の時刻に修正されることになる。また、利用者は、最新のローカルオフセット時刻を腕時計１０に反映させることを希望していると判断し、上述のローカルオフセット閾値で４５ａを低く設定する。
【００７０】
一方、ＳＴ１５１で、利用者が「前回ローカルＴ／前回サマーＴ基準の最終ローカル時刻データ５４ｂ」を選択した場合は、ＳＴ１５２とは逆に、ローカルオフセット閾値データ４５ａを増加させ、例えば１時間とする。
そして、ＳＴ１５５で、利用者の腕時計１０を「前回ローカルＴ／前回サマーＴ基準の最終ローカル時刻データ５４ｂ」で修正する。つまり、上述の例では、利用者はアリゾナ州に所在するにもかかわらず、カリフォルニア州の時間で修正することを希望していると判断する。
また、ローカルオフセット閾値データ４５ａを増加させることで、次回からアリゾナ州とカリフォルニア州の間を行き来しても、常に、カリフォルニア州の時刻で修正されることになる。
このように、何度も前回のローカルオフセット時間を選択すれば、時差が数時間ある例えば、アメリカ合衆国の中西部へ移動してもカリフォルニア州の時差等に基づいて時刻修正が行われ、腕時計１０の所持者にとって極めて利便性が向上することとなる。
【００７１】
ところで、図９のＳＴ１４３で、ローカルオフセット差分時間データ５８ａが、ローカルオフセット閾値データ４５ａ以上でない場合は、ローカルオフセット時刻は前回のまま変化させる必要はない。しかし、サマータイム時刻についても利用者の利便性を考慮する必要があり、サマータイム時刻を変化させる必要がある。そこで、ＳＴ１４５のサマータイム時刻表示動作が行われる。
図１１及び図１２は、ＳＴ１４５のサマータイム時刻表示動作の概略を示す概略フローチャートである。
先ず、ＳＴ１００では、図４のサマータイム比較プログラム３１６が、図６のサマータイムデータ５７ａの前回のサマータイムデータ（前回サマーＴ）と今回のサマータイムデータ（今回サマーＴ）を比較し、それらのデータが相違するか否かを判断する。
そして、相違がないと判断した場合は、ＳＴ１０１で、図６の「前回ローカルＴ／前回サマーＴ基準の最終ローカル時刻データ５４ｂ」を修正用時刻データ５５ａとして、時刻修正を行う。
つまり、これは、上述の例では、利用者がカリフォルニア州内で移動している場合等である。
【００７２】
また、ＳＴ１００では、前回のサマータイムデータと今回のサマータイムデータが相違する場合は、ＳＴ１０２で、ローカルオフセット時刻データ５６ａ及びサマータイムデータ５７ａに基づき、ＳＴ１１、ＳＴ１２及びＳＴ１３等を経て、「前回ローカルＴ／今回ローカルＴ基準の最終とーカル時刻データ５４ｃ」を生成し、最終ローカル時刻データ格納部５４に格納する。
次に、ＳＴ１０４で、「前回ローカルＴ／前回サマーＴ基準の最終ローカル時刻データ５４ｂ」と「前回ローカルＴ／今回サマーＴ基準の最終ローカル時刻データ５４ｃ」を、ディスプレイ１４に交互表示する。
そして、利用者がＳＴ１０４でりゅうず２８でいずれも選択しない場合は、ＳＴ１０５及びＳＴ１０６に示すように、「前回ローカルＴ／今回サマーＴ基準の最終ローカル時刻データ５４ｃ」を修正用時刻データ５５ａとして、時刻修正する。
【００７３】
また、利用者が「前回ローカルＴ／今回サマーＴ基準の最終ローカル時刻データ５４ｃ」を選択した場合も、「前回ローカルＴ／今回サマーＴ基準の最終ローカル時刻データ５４ｃ」を修正用時刻データ５５ａとして、時刻修正する（ＳＴ１０８）。
一方、利用者が「前回ローカルＴ／今回サマーＴ基準の最終ローカル時刻データ５４ｃ」を選択しない場合は、その希望に沿って、「前回ローカルＴ／前回サマーＴ基準の最終ローカル時刻データ５４ｂ」を修正用時刻データ５５ａとして、時刻修正する（ＳＴ１０９）。
このように、サマータイム時刻を加味して時刻修正を行うか否かについても、利用者が自由に決めることができるので、利用者にとって利便性の高い腕時計１０となる。
【００７４】
以上のように本実施の形態では、例えば、上述の例の場合で、ローカルオフセット閾値データ４５ａを１．５時間とすれば、利用者がカリフォルニア州からアリゾナ州に移動しても、ローカルオフセット時刻（時差）はカリフォルニア州のままで、アリゾナ州で高精度な時刻修正が可能となる。また、サマータイムを前回とすれば、カリフォルニア州のサマータイムを考慮した時刻修正がアリゾナ州で実行されることになり、利用者にとって極めて利便性が高い腕時計１０となる。
【００７５】
次に、図８のＳＴ１６に戻り、以下の工程が行われる。
図８のＳＴ１６では、最終的なＲＴＣ等の修正用データである修正用時刻データ５５ａに基づいて、時刻修正が行われる。つまり、図４のＲＴＣ及び時刻修正プログラム３７が、図６の修正用時刻データ５５ａに基づき、図３のＲＴＣ２５や図１の針１３等を修正し、時刻修正が完了する。
【００７６】
このように、ＲＴＣ及び時刻修正プログラム３７が、時刻情報表示部の表示情報（例えば、ＲＴＣ２５や針１３等）を修正する表示時刻情報修正部の一例である。  
【００７７】
また、図７及び図８は、図１１のローカルオフセット時間及びサマータイムデータは、ＣＤＭＡ基地局１５ａ等から受信したシンクチャネルメッセージに基づいて自動的に修正される工程としたが、これらを腕時計１０のユーザが設定可能としてもよい。
この場合は、上述のＳＴ１１では、この入力されたデータに基づいて第１次ローカル時刻が算出されるので、ユーザの希望通りの時刻修正が可能となる。
【００７８】
本発明は、上述の実施の形態に限定されない。
【図面の簡単な説明】
【００７９】
【図１】本発明に係る時刻修正装置付き計時装置である例えば、時刻修正装置付き腕時計を示す概略図である。
【図２】図１の腕時計の内部の主なハードウエア構成等を示す概略図である。
【図３】腕時計の主なソフトウエア構成等を示す概略全体図である。
【図４】図３の各種プログラム格納部内のデータを示す概略図である。
【図５】図３の第１の各種データ記憶部内のデータを示す概略図である。
【図６】図３の第２の各種データ記憶部内のデータを示す概略図である。
【図７】本実施の形態にかかる腕時計の主な動作等を示す概略フローチャートである。
【図８】本実施の形態にかかる腕時計の主な動作等を示す他の概略フローチャートである。
【図９】図８のローカルオフセット時間及びサマータイム時間表示補正動作を示す概略フローチャートである。
【図１０】図８のローカルオフセット時間及びサマータイム時間表示補正動作を示す他の概略フローチャートである。
【図１１】ＳＴ１４５のサマータイム時刻表示動作の概略を示す概略フローチャートである。
【図１２】ＳＴ１４５のサマータイム時刻表示動作の概略を示す他の概略フローチャートである。
【図１３】ＣＤＭＡ基地局から送信される信号の同期タイミング等を示す概略図である。
【図１４】シンクチャネルメッセージの内容を示す概略図である。
【符号の説明】
【００８０】
１０・・・時刻修正装置付き腕時計、１２・・・文字板、１５ａ及び１５ｂ・・・ＣＤＭＡ基地局、２４・・・ＣＤＭＡ基地局電波受信機、２５・・・リアルタイムクロック（ＲＴＣ）、２７・・・電池、３１・・・パイロットＰＮ同期プログラム、３２・・・シンクチャネルメッセージ受信プログラム、３３・・・受信機制御プログラム、３４・・・第１次ローカル時刻算出プログラム、３５・・・第２次ローカル時刻プログラム、３６・・・最終ローカル時間算出プログラム、３７・・・ＲＴＣ及び時刻修正プログラム、３８・・・時刻修正開始判断プログラム、３９・・・ローカルオフセット／サマータイム抽出プログラム、４１ａ・・・差分時間データ、４２ａ・・・パイロットＰＮオフセット時間データ、４３ａ・・・処理遅延時間データ、４４ａ・・・時刻修正間隔データ、４５ａ・・・ローカルオフセット閾値データ、５１ａ・・・シンクチャネルメッセージデータ、５２ａ・・・第１次ローカル時刻データ、５３ａ・・・第２次ローカル時刻データ、５４ａ・・・今回ローカルＴ／今回サマーＴ基準の最終ローカル時刻データ、５４ｂ・・・今回ローカルＴ／前回サマーＴ基準の最終ローカル時刻データ、５４ｃ・・・前回ローカルＴ／今回サマーＴ基準の最終ローカル時刻データ、５５ａ・・・修正用時刻データ、５６ａ・・・ローカルオフセット時刻データ、５７ａ・・・サマータイムデータ、５８ａ・・・ローカルオフセット差分時間データ、３１０・・・ローカルオフセット比較プログラム、３１１・・・ローカルオフセット閾値判断プログラム、３１２・・・ディスプレイ制御プログラム、３１３・・・表示選択プログラム、３１４・・・修正用時刻データ選択プログラム、３１５・・・ローカルオフセット閾値変更プログラム、３１６・・・サマータイム比較プログラム
【図１】
2008051527.tif 000003
【図２】
2008051527.tif 000004
【図３】
2008051527.tif 000005
【図４】
2008051527.tif 000006
【図５】
2008051527.tif 000007
【図６】
2008051527.tif 000008
【図７】
2008051527.tif 000009
【図８】
2008051527.tif 000010
【図９】
2008051527.tif 000011
【図１０】
2008051527.tif 000012
【図１１】
2008051527.tif 000013
【図１２】
2008051527.tif 000014
【図１３】
2008051527.tif 000015
【図１４】
2008051527.tif 000016